(57)【要約】【課題】  ２つの液晶ディスプレイを備えていても充分に薄くすることが可能であって携帯用として実用性が高く、しかも対面者に液晶ディスプレイを見易い状態で調整できるようにしたノート型コンピュータ装置を提供する。【解決手段】  キーボード１を有する本体キャビネット２の一端に、枢着機構Ｂによって第１ディスプレイ３を有する第１キャビネット４及び第２ディスプレイ５を有する第２キャビネット６を、同一軸線上に配置して回動可能に支持し、前記本体キャビネット２に対して第１キャビネット４及び第２キャビネット６を個々に回動可能に構成した。【選択図】図１
2005173857.tif 000002
【特許請求の範囲】
【請求項１】
キーボードを有する本体キャビネットの一端に、枢着機構によって第１ディスプレイを有する第１キャビネット及び第２ディスプレイを有する第２キャビネットを、同一軸線上に配置して回動可能に支持し、前記本体キャビネットに対して第１キャビネット及び第２キャビネットを個々に回動可能にしてなることを特徴とするノート型コンピュータ装置。
【請求項２】
本体キャビネット、第１キャビネット及び第２キャビネットを上下に重合させた厚さが、前記枢着機構の直径とほぼ同一である請求項１に記載のノート型コンピュータ装置。
【請求項３】
前記第２キャビネットは、フレームと、前記フレームに対して回動できるように支持した第２ディスプレイとを有し、前記フレームを枢着機構に回動可能に支持してなる請求項１または２に記載のノート型コンピュータ装置。
【請求項４】
前記第２キャビネットのフレームは、左右一対のアーム若しくは門型状である請求項３に記載のノート型コンピュータ装置。
【発明の詳細な説明】
【技術分野】
【０００１】
本発明は、２つのディスプレイを有するので、数人を対象にして商品説明などを行うプレゼンテーションに使用するのに好適なノート型コンピュータ装置に関するものである。
【背景技術】
【０００２】
従来のプレゼンテーションに使用できるノート型コンピュータ装置としては、二つ折りできるようにした一対のキャビネットが傾動可能に接続され、一方のキ
ヤビネツトにキーボードを設けてあり、他方のキャビネットにメインの液晶ディスプレイと、小さな画面のモニタリング用液晶ディスプレイを設けた構成である（特許文献１参照）。
【０００３】
そして、前記特許文献１に記載のノート型コンピュータ装置は、メインの液晶ディスプレイに対してモニタリング用液晶ディスプレイが可倒式であったり着脱式である。
【特許文献１】特開２００２−９１６１９号公報
【発明の開示】
【発明が解決しようとする課題】
【０００４】
しかしながら、前記特許文献１に記載のノート型コンピュータ装置の場合、プレゼンテーションをする場合に、顧客と対面しての接客の際に、自分側に向いた液晶ディスプレイと、相手側に向いたモニタリング用液晶ディスプレイは、一方の側のディスプレイの角度を調整すると、他方の側のディスプレイの角度が変わつて見にくい状態になってしまうことがある。また、モニタリング用液晶ディスプレイが小さくて可倒式であったり着脱式であるため、携帯時には傾倒したり離脱するばかりでなく視認しがたいので、商品としての価値がない。
【０００５】
したがって本発明の解決しようとする課題は、２つの液晶ディスプレイを備えていても充分に薄くすることが可能であって携帯用として実用性が高く、しかも対面者に液晶ディスプレイを見易い状態で調整できるようにしたノート型コンピュータ装置を提供することにある。
【課題を解決するための手段】
【０００６】
上記課題を解決するために請求項１に記載の発明は、キーボードを有する本体キャビネットの一端に、枢着機構によって第１ディスプレイを有する第１キャビネット及び第２ディスプレイを有する第２キャビネットを、同一中心軸線Ｌ上に配置して回動可能に支持し、前記本体キャビネットに対して第１キャビネット及び第２キャビネットを個々に回動可能にしてなることを特徴とするノート型コンピュータ装置である。
【０００７】
また、請求項２に記載の発明は、本体キャビネット、第１キャビネット及び第２キャビネットを上下に重合させた厚さが、前記枢着機構の直径とほぼ同一である請求項１に記載のノート型コンピュータ装置である。
【０００８】
また、請求項３に記載の発明は、前記第２キャビネットは、フレームと、前記フレームに対して回動できるように支持した第２ディスプレイとを有し、前記フレームを枢着機構に回動可能に支持してなる請求項１または２に記載のノート型コンピュータ装置である。
【０００９】
また、請求項４に記載の発明は、前記第２キャビネットのフレームは、左右一対のアーム若しくは門型状である請求項３に記載のノート型コンピュータ装置である。
【発明の効果】
【００１０】
本発明のノート型コンピュータ装置によれば、２つの液晶ディスプレイを備えていても充分に薄くすることが可能であって携帯用として実用性がきわめて高く、またプレゼンテーションをする場合に、自分側と相手側とで夫々の大きな液晶ディスプレイを見易い角度に別々に調整できる。
【発明を実施するための最良の形態】
【００１１】
本発明の一実施形態のノート型コンピュータ装置について図面を用いて詳細に説明する。
【００１２】
図１は本発明の第１の実施形態のノート型コンピュータ装置を開いた使用状態の斜視図、図２は図１のノート型コンピユータ装置を閉じた不使用状態の斜視図、図３は図１のノート型コンピュータ装置において第１キャビネットと第２キャビネットとを重合させて本体キャビネットに対し開いた状態の斜視図、図４は図１のノート型コンピュータ装置において一部を拡大した分解斜視図、図５は第１キャビネットの一部を拡大した正面図、図６は各キャビネットの回動状態を示す側面図、図７は枢着機構の縦断面図、図８は第１キャビネットの他の実施形態の分解斜視図である。
【００１３】
本発明の第１実施形態のノート型コンピュータ装置１０は、図１〜図７に示すように、キーボード１を有する本体キャビネット２と、第１ディスプレイ３を有する第１キヤビネット４と、第２ディスプレイ５を有する第２キャビネット６、及び、第２キャビネット６を回動できるように支持する左右一対のアーム７，７とを有している。
【００１４】
本体キャビネット２の一端（上辺の外部）には、図７で示すように、短い筒部２ａ，２ａと、その中央に両筒部２ａ，２ａと間隔Ｔ１を空けて筒部２ａと同径で長い筒部２ｂが共に同軸の配置となるように設けられている。また、第１キャビネット４の一端には、本体キャビネット２の筒部２ａ，２ａと中央の筒部２ｂとの間隔Ｔ１に合致する２ケ所の位置に対応して、筒部２ａ，２ｂと同径で上記の間隔Ｔ１と略同じ長さを有する筒部４ａ，４ａが、筒部２ｂと略同じ長さ分の間隔Ｔ２だけ離隔して設けられている。
【００１５】
また、第２キャビネット６の下端の両側部には、軸部６ｂ，６ｂが突出して設けられている。軸部６ｂ，６ｂは、一対のアーム７，７の先端に形成した孔７ｂ，７ｂに嵌合して、第２キャビネット６が一対のアーム７，７の両側部で回動可能に支持されている。また、一対のアーム７，７の他端には、一端が閉塞して他端に開口１７ａを有し、筒部２ａ，２ａ，２ｂ、４ａ，４ａと同一径の筒部１７，１７が設けてある。各筒部１７には、径方向に係止孔１７ｂ，１７ｂが設けられている。
【００１６】
本体キャビネット２の筒部２ａ，２ａと筒部２ｂとの間に、第１キャビネット４の筒部４ａ，４ａを嵌め込んで組合せて、筒部２ａ，２ａ，２ｂ、４ａ，４ａ及び筒部１７，１７を同一中心軸線Ｌ上に配置する。この同一中心軸線Ｌ上に配置した筒部２ａ，２ａ，２ｂ、４ａ，４ａ，１７，１７の各筒内に１本の軸体８を挿通して、筒部２ａ，２ａ，２ｂ、４ａ，４ａを同軸に回動可能に連結して枢着機構Ｂを組み立てる。
【００１７】
そして、一対のアーム７，７の他端に設けた筒部１７，１７の各開口１７ａ，１７ａに軸体８の各端部を嵌合して、各筒部１７，１７の係止孔１７ｂ，１７ｂにネジ９，９を螺着して締め付け、各筒部１７，１７を軸体８の両端に固定して枢着機構Ｂを構成する。
【００１８】
したがって、図７に示すように、筒部２ａ，２ａ，２ｂ，４ａ，４ａ、及び筒部１７，１７は、それぞれの筒内に軸体８が挿通して枢着機構Ｂが構成され、軸体８の左右端部に筒部１７が固定されているので、軸体８によって筒部２ａ，２ａ，２ｂ，４ａ，４ａが回動可能に支持される。このため、キーボード１を有する本体キャビネット２の一端に設けた筒部２ａ，２ａと筒部２ｂに対して軸体８が回動可能となり、また、第１キャビネット４の一端に設けた筒部４ａ，４ａが、筒部２ａ，２ａと筒部２ｂに対して回動可能、且つ、軸体８に対して回動可能となるので、本体キャビネット２に対して第１キャビネット４及び第２キャビネット６が回動可能である。
【００１９】
また、一対のアーム７，７の夫々の側縁部分には、係合溝７ａ，７ａが設けられており、また、第２キャビネット６の左右の側部には、係合溝７ａ，７ａと嵌り合う係合凸部６ａ，６ａが設けられている。そのため、一対のアーム７，７の係合溝７ａ，７ａに第２キャビネット６の係合凸部６ａ，６ａを嵌め込むことにより、図５に示すように第２キャビネット６は、一対のアーム７，７の対向間隔の内部に収納できる。
【００２０】
こうして、第２キャビネット６を一対のアーム７，７の対向間隔に収納しておけば、第１キャビネット４、及び、第２キャビネット６は、枢着機構Ｂにより一対のアーム７，７を介して本体キャビネット２に対して同軸であって個々に回動可能になる。
【００２１】
ノート型コンピュータ装置１０を使用するときには、図２に示されるように閉じた不使用状態から、第１キャビネット４を枢着機構Ｂにより回動操作して、本体キャビネット２に対して第１ディスプレイ３を見易い角度に調整する。次に、一対のアーム７，７を枢着機構Ｂにより回動操作して、本体キャビネット２に対して一対のアーム７，７が外側に水平に延長する状態に位置させ、本体キャビネット２と同一平面上に位置させる。その後、一対のアーム７，７における枢着機構Ｂの他端側で、第２キャビネット６の回動位置を操作して、図１示されるように開いた使用状態に設定して、第２ディスプレイ５を見易い角度に調整する。このように、第２ディスプレイ５は、枢着機構Ｂにより回動可能な第１キャビネット４の回動位置と無関係に独立して、見易い角度に調整できる。
【００２２】
また、ノート型コンピュータ装置１０を閉じるときには、図１に示される開いた使用状態から、第２キャビネット６を回動操作して、図５に示されるように第２キャビネット６を一対のアーム７，７の対向間隔に収納する。次に、第２キャビネット６と共に一対のアーム７，７を枢着機構Ｂにより回動操作して、第１キャビネット４の背面に一対のアーム７，７と共に第２キャビネット６を当接（又は近接）配置する。そして、第１キャビネット４を、一対のアーム７，７及び第２キャビネット６と共に枢着機構Ｂにより回動操作して、本体キャビネット２に対して密接させてノート型コンピュータ装置１０を閉じる。
【００２３】
このように、本発明のノート型コンピュータ装置によれば、プレゼンテーション時に、自分側と相手側で夫々の液晶ディスプレイを見易い角度に個々に設定することができる。
【００２４】
上述した本体キャビネット２と第１キャビネット４の各筒部の径（枢着機構Ｂの直径）、及び、第２キャビネット６を収納した一対のアーム７，７の各筒部の径は、本体キャビネット２と第１キャビネット４、及び第２キャビネット６の３つのキャビネットを重合させた厚さとほぼ同一である。
【００２５】
なお、前記した本発明の第１の実施形態では、一対のアーム７，７は、個々に独立したものとして説明したが、図８に示すように、一対のアーム７，７の各一端が連結されて門型状のフレーム１１に形成されたものであっても良い。
【００２６】
図８において、説明していない符号は前記実施の形態の符号と同一の構成であるから、詳細な説明を省略する。
【００２７】
図９は、第２の実施形態のノート型コンピュータ装置の分解斜視図、図１０は第２の実施形態のノート型コンピュータ装置の枢着機構Ｂ’の縦断面図である。第２の実施形態のノート型コンピュータ装置１０ａは、枢着機構Ｂ’の構成が第１の実施形態のノート型コンピュータ装置１０と異なるだけであり、その他の構成は同じであるので、ここでは枢着機構Ｂ’の構成について説明し、その他の構成についての説明は省略する。
【００２８】
第２の実施形態のノート型コンピュータ装置１０ａは、個々に独立した一対のアーム７，７を使用する。そして、一対のアーム７，７の各他端に設けられる筒部１７，１７は、第１の実施形態のノート型コンピュータ装置１０のような一端開口形ではなく、筒部１７，１７の対向面からは軸状突起８ａ，８ａが突出して設けられている構成である。
【００２９】
この第２の実施形態のノート型コンピュータ装置１０ａでは、一対のアーム７，７の各他端に設けられる筒部１７，１７の軸状突起８ａ，８ａを、第１の実施形態のノート型コンピュータ装置１０で使用していた１本の軸体８の代わりに利用して枢着機構Ｂ’が構成されている。前記軸状突起８ａは、筒部２ａ，４ａ及び２ｂの内部の一部にまで一連に挿着する長さである。
【００３０】
前記した構成の枢着機構Ｂ’を組立てるには、本体キャビネット２の筒部２ａ，２ａと筒部２ｂとの間に、第１キャビネット４の筒部４ａ，４ａを嵌め込んで組合せて、筒部２ａ，２ａ，２ｂ、４ａ，４ａを同一中心軸線Ｌ上に配置する。そして、各筒部２ａ，２ａの外側端部から筒部２ａ，２ｂ，４ａに向かって前記軸状突起８ａ，８ａを挿通して、筒部２ａ，２ａ，２ｂ、４ａ，４ａを左右の突起８ａで回動可能に支持する。その後で、第２キャビネット６の下端の両側部に所定長さ突出して設けられている軸部６ｂ，６ｂを、一対のアーム７，７の一端に設けた孔７ｂ，７ｂに嵌合して、第２キャビネット６が一対のアーム７，７の両側部で回動可能に支持される。
したがって、第２キャビネット６を収納した一対のアーム７，７の左右の突起８ａにより、本体キャビネット２に対して、一対のアーム７，７及び第１キャビネット４は回動可能に支えられる。
【００３１】
このように、本発明のノート型コンピュータ装置においては、同一中心軸線Ｌ上に配置した筒部２ａ，２ａ，２ｂ、４ａ，４ａを同軸にして回動可能に支持した枢着機構を構成するものであれば、全ての筒部２ａ，２ａ，２ｂ、４ａ，４ａの筒内に１本の軸体８が貫通して枢着機構Ｂを構成するもの、または、同一中心軸線Ｌ上に配置した筒部２ａ，２ａ，２ｂ、４ａ，４ａの両側から連続して配置した筒部２ａ，４ａ，２ｂの筒内に筒部１７，１７の各対向面に突出して設けられた軸状突起８ａ，８ａを挿通して枢着機構Ｂ’を構成するものなどがあり、また上記実施形態の構成に限定されるものではない。
【００３２】
図１１は本発明の第３の実施形態のノート型コンピュータ装置の第１ディスプレイと第２ディスプレイの両方を開いた使用状態の斜視図、図１２は図１１のノート型コンピュータ装置を矢印Ａ方向から見た斜視図、図１３（ａ）は図１１のノート型コンピュータ装置を側面方向から見た概略図、図１３（ｂ）は図１１のノート型コンピュータ装置において第１キャビネットと第２キャビネットとを重合させて本体キャビネットに対し開いた状態の概略図、図１３（ｃ）は図１１のノート型コンピュータ装置の閉じた状態の概略図である。
【００３３】
図１１〜図１３を参照して本発明の第３の実施形態のノート型コンピュータ装置２０について、以下に説明する。
【００３４】
プレゼンテーション時に顧客と対面しての接客の際の使用状態において、図１１、図１２に示すように第３の実施形態のノート型コンピュータ装置２０は、第１ディスプレイ２３と第２ディスプレイ２５の両方を開いて使用する。ノート型コンピュータ装置２０は、キーボード２１を有する本体キャビネット２２と、第１ディスプレイ２３を有する第１キャビネット２４と、第２ディスプレイ２５を有する第２キャビネット２６、及び、左右一対のアーム２７，２７を有する門型状のフレーム３１とを有している。
【００３５】
そして、キーボード２１を有する本体キャビネット２２と、第１ディスプレイ２３を有する第１キャビネット２４、及び、一対のアーム２７，２７を有する門型状のフレーム３１とは軸により結合して枢着機構Ｂを構成している。この枢着機構Ｂの軸の構成は、前記第１の実施形態のノート型コンピュータ装置１０のように１本の軸体８でもよいし、第２の実施の形態のように左右の軸状突起８ａを使用してもよい。
【００３６】
前記第３実施形態のノート型コンピュータ装置２０においては、門型状のフレーム３１（または一対のアーム２７，２７）の左右先端部に、突出部２７ａ，２７ａを厚み方向に所定長さ突出して設け、これら一対の突出部２７ａ，２７ａに第２キャビネット２６の両側部を軸着して回動可能に支持するとともに、門型状のフレーム３１の内部に第１キャビネット２４が収納し、突起部２７ａに軸着した第２キャビネット２６を第１キャビネット２４の表面に重合状に位置させているので、第１キャビネット２４より第２キャビネット２６の方が寸法が大きい。
【００３７】
したがって、図１３（ａ）に示すように第１キャビネット２４は枢着機構Ｂによって回動可能であり、第２キャビネット２６は突出部２７ａによって回動可能であるから、本体キャビネット２２に対してフレーム３１が外側に水平に延長する状態に位置させ、本体キャビネット２２と同一平面上に位置させると、図１１、１２、で示すように、フレーム３１を底辺として、第１キャビネット２４及び第２キャビネット２６の上端相互を接続して傾斜辺にすることにより、三角形状に組み立てることができる。この状態においては、プレゼンテーション時に顧客と対面すると、第２キャビネット２６の方が大きいので見やすくなる。
【００３８】
前記組立状態において、図１３（ｂ）に示すように第２キャビネット２６をフレーム３１の内部に収納するようにして閉じると、その上に第２キャビネット２６が重合し、両キャビネットの重合体を、枢着機構Ｂを支点に回動させて本体キャビネット２２の表面に重ね合わせることができる。この状態が不使用状態であって、図１３（ｃ）で示すように、各キャビネット２２、２６、２７の厚さと枢着機構Ｂとの直径とはほぼ同一である。
【００３９】
この不使用状態から使用状態にするには、第１キャビネット２４及び第２キャビネット２６を枢着機構Ｂにより回動して、第２キャビネット２６を突起部２７ａで、第１キャビネット２４を枢着機構Ｂを支点にして回動させればよい。
【００４０】
このように、第１キャビネット２４がフレーム３１の枠内に収納され、この状態で、第１キャビネット２４の表面に第２キャビネット２６が配置されるため、第１キャビネット２４は第２キャビネット２６より小さくなる。したがって、第１キャビネット２４に設けられる第１ディスプレイ２３よりも、第２キャビネット２６に設けられる第２ディスプレイ２５を大画面としておくことができるので、プレゼンテーションをする場合に実用的価値の高いものとなる。
【００４１】
そのため、自分側と相手側で同時に画像を見る場合、自分側で第１ディスプレイ２３を見て、相手側で第１ディスプレイ２３よりも大画面の第２ディスプレイ２５が見られるようにすることができる。
【産業上の利用可能性】
【００４２】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００４３】
【図１】本発明の第１の実施形態のノート型コンピュータ装置を開いた使用状態の斜視図である。
【図２】図１のノート型コンピユータ装置を閉じた不使用状態の斜視図である。
【図３】図１のノート型コンピュータ装置において第１キャビネットと第２キャビネットとを重合させて本体キャビネットに対し開いた状態の斜視図である。
【図４】図１のノート型コンピュータ装置において一部を拡大した分解斜視図である。
【図５】図４における第１キャビネットの一部を拡大した正面図である。
【図６】図１のノート型コンピュータ装置の各キャビネットの回動状態を示す側面図である。
【図７】図１のノート型コンピュータ装置の枢着機構の縦断面図ある。
【図８】第１キャビネットの他の実施形態の分解斜視図である。
【図９】本発明の第２の実施形態のノート型コンピュータ装置の分解斜視図である。
【図１０】図９のノート型コンピュータ装置の枢着機構の縦断面図である。
【図１１】本発明の第３の実施形態のノート型コンピュータ装置の第１ディスプレイと第２ディスプレイの両方を開いた使用状態の斜視図である。
【図１２】図１１のノート型コンピュータ装置を矢印Ａ方向から見た斜視図である。
【図１３】（ａ）は図１１のノート型コンピュータ装置を側面方向から見た概略図である。（ｂ）は図１１のノート型コンピュータ装置において第１キャビネットと第２キャビネットとを重合させて本体キャビネットに対し開いた状態の概略図である。（ｃ）は図１１のノート型コンピュータ装置の閉じた状態の概略図である。
【符号の説明】
【００４４】
１，２１  キーボード
２，２２  本体キャビネット
２ａ，２ｂ，４ａ，１７  筒部
３，２３  第１ディスプレイ
４，２４  第１キャビネット
５，２５  第２ディスプレイ
６，２６  第２キャビネット
６ａ  係合凸部
６ｂ  軸部
７，２７  アーム
７ａ  係合溝
７ｂ  孔
８  軸体
８ａ  軸状突起
９  ネジ
１０，１０ａ，２０  ノート型コンピュータ装置
１１，３１  門型状のフレーム
１７ａ  開口
１７ｂ  係止孔
２７ａ  突出部
Ｂ，Ｂ’  枢着機構
【図１】
2005173857.tif 000003
【図２】
2005173857.tif 000004
【図３】
2005173857.tif 000005
【図４】
2005173857.tif 000006
【図５】
2005173857.tif 000007
【図６】
2005173857.tif 000008
【図７】
2005173857.tif 000009
【図８】
2005173857.tif 000010
【図９】
2005173857.tif 000011
【図１０】
2005173857.tif 000012
【図１１】
2005173857.tif 000013
【図１２】
2005173857.tif 000014
【図１３】
2005173857.tif 000015